(57)【要約】【課題】移動端末がローミング先からデータ通信を行う際にも、自ＧＷサーバを利用可能とする方法とシステムの提供。【解決手段】端末３０は、最寄のＧＷサーバ（Ｂ）１０２に、端末３０を収容する自ＧＷサーバ（Ａ）１０１を認識する情報を含むサービス要求を送信し、ＧＷサーバ（Ｂ）１０２が、端末を収容するＧＷサーバを判別し、自ＧＷサーバ（Ａ）１０１に、端末３０から受け取ったデータを転送し、自ＧＷサーバ（Ａ）１０１が、ＧＷサーバ（Ｂ）１０２からのデータを受け取り、サービスデータをＧＷサーバ（Ｂ）１０２に送信し、ＧＷサーバ（Ｂ）１０２は、自ＧＷサーバ（Ａ）１０１から転送されたサービスデータを端末３０に送信する。【選択図】図１
2004260727.tif 000002
【特許請求の範囲】
【請求項１】
端末からのサービス要求を受け取った一つのゲートウェイサーバが、前記端末が前記一つのゲートウェイサーバで収容する端末であるか否か判別し、前記端末が前記一つのゲートウェイサーバで収容する端末でなければ、前記端末を収容するゲートウェイサーバ（「自ゲートウェイサーバ」という）に向けて、前記端末からのデータの転送を行うステップと、
前記端末から転送されたデータを受け取った前記自ゲートウェイサーバが、サービスのデータを、前記一つのゲートウェイサーバを介して、前記端末へ送信するステップと、
を含む、ことを特徴とするゲートウェイサーバ間通信方法。
【請求項２】
端末が、前記端末を収容するゲートウェイサーバ（「自ゲートウェイサーバ」という）を認識する情報を少なくとも含むサービス要求を、他のゲートウェイサーバに送信するステップと、
前記他のゲートウェイサーバが、前記端末から受け取った前記情報に基づき、前記端末を収容するゲートウェイサーバを判別するステップと、
前記他のゲートウェイサーバが、前記判別結果に基づき、前記自ゲートウェイサーバに対して、前記端末から受け取った情報データを転送するステップと、
前記他のゲートウェイサーバが、前記端末からのサービス要求に対するサービスデータを前記他のゲートウェイサーバに送信するステップと、
前記自ゲートウェイサーバから送信されたデータを受け取った前記他のゲートウェイサーバが、前記データを前記端末に送信するステップと、
を含む、ことを特徴とするゲートウェイサーバ間通信方法。
【請求項３】
端末が、前記端末を収容するゲートウェイサーバ（「自ゲートウェイサーバ」という）を認識する情報を少なくとも含むサービス要求を、他のゲートウェイサーバに送信するステップと、
前記他のゲートウェイサーバが、前記端末から受け取った前記情報に基づき、前記端末を収容するゲートウェイサーバを判別するステップと、
前記他のゲートウェイサーバが、前記端末から受け取ったデータを、転送制御用サーバに転送するステップと、
前記転送制御用サーバが、前記他のゲートウェイサーバから受け取ったデータの振り分けを行い、前記データを、前記自ゲートウェイサーバに転送するステップと、
前記自ゲートウェイサーバが、前記端末からのサービス要求に対するサービスデータを、前記転送制御用サーバに送信するステップと、
前記転送制御用サーバが、前記自ゲートウェイサーバから受け取ったサービスデータを、前記他のゲートウェイサーバに送信するステップと、
前記自ゲートウェイサーバから前記転送制御用サーバを介して送信されたデータを受け取った前記他のゲートウェイサーバが、前記データを、前記端末に送信するステップと、
を含む、ことを特徴とするゲートウェイサーバ間通信方法。
【請求項４】
前記他のゲートウェイサーバが、ローミング先のゲートウェイサーバである、ことを特徴とする請求項２又は３記載のゲートウェイサーバ間通信方法。
【請求項５】
前記自ゲートウェイサーバが、アプリケーションサーバに対してサービスデータを要求するステップと、
前記自ゲートウェイサーバが、前記アプリケーションサーバからサービスデータを受け取り、前記サービスデータを、前記他のゲートウェイサーバに送信するステップと、
を含む、ことを特徴とする請求項２記載のゲートウェイサーバ間通信方法。
【請求項６】
前記自ゲートウェイサーバが、アプリケーションサーバに対してサービスデータを要求するステップと、
前記自ゲートウェイサーバが、前記アプリケーションサーバからサービスデータを受け取り、前記サービスデータを、前記転送サーバに送信するステップと、
を含む、ことを特徴とする請求項３記載のゲートウェイサーバ間通信方法。
【請求項７】
端末と、
前記端末を収容するゲートウェイサーバと、
前記端末と通信接続する他のゲートウェイサーバと、
を有するネットワークシステムにおけるゲートウェイサーバ間通信システムであって、
前記他のゲートウェイサーバは、
前記端末からのサービス要求を受け取った際に、前記端末が前記他のゲートウェイサーバで収容する端末であるか否かを判別し、前記端末が前記他のゲートウェイサーバで収容する端末でなければ、前記端末を収容するゲートウェイサーバ（「自ゲートウェイサーバ」という）に向けて、前記端末からのデータの転送を行う手段、
を備え、
前記端末から転送されたデータを受け取った前記自ゲートウェイサーバは、
サービスデータを、前記他のゲートウェイサーバに転送する手段、
を備え、
前記他のゲートウェイサーバが、前記自ゲートウェイサーバから転送された前記サービスデータを、前記端末へ送信する、ことを特徴とするゲートウェイサーバ間通信システム。
【請求項８】
端末と、
前記端末を収容するゲートウェイサーバ（「自ゲートウェイサーバ」という）と、
前記端末と通信接続する他のゲートウェイサーバと、
を有するネットワークシステムにおけるゲートウェイサーバ間通信システムであって、
前記端末は、
前記自ゲートウェイサーバを認識する情報を少なくとも含むサービス要求を送信する手段、
を少なくとも備え、
前記他のゲートウェイサーバは、
前記端末から前記他のゲートウェイサーバに送信された、前記自ゲートウェイサーバを認識する情報を受け取り、前記情報に基づき、前記端末を収容する自ゲートウェイサーバを判別し、前記自ゲートウェイサーバに対して、前記端末から受け取ったデータを転送する手段と、
前記自ゲートウェイサーバからサービスデータを受け取り前記サービスデータを前記端末に送信する手段と、
を少なくとも備え、
前記自ゲートウェイサーバは、
前記他のゲートウェイサーバからのデータを受け取る手段と、
サービスデータを、前記他のゲートウェイサーバに送信する手段と、
を少なくとも備えている、ことを特徴とするゲートウェイサーバ間通信システム。
【請求項９】
端末と、
前記端末を収容するゲートウェイサーバ（「自ゲートウェイサーバ」という）と、
前記端末と通信接続する他のゲートウェイサーバと、
前記他のゲートウェイサーバと前記自ゲートウェイサーバとの間のデータの転送を行う転送サーバと、
を有するネットワークシステムにおけるゲートウェイサーバ間通信システムであって、
前記端末は、
前記自ゲートウェイサーバを認識する情報を少なくとも含むサービス要求を送信する手段、
を少なくとも備え、
前記他のゲートウェイサーバは、
前記端末から前記他のゲートウェイサーバに送信された、前記自ゲートウェイサーバを認識する情報を受け取り、前記情報から、前記端末を収容する自ゲートウェイサーバを判別し、前記端末から受け取ったデータを、前記転送サーバに転送する手段と、
前記転送サーバから前記他のゲートウェイサーバに転送された、前記自ゲートウェイサーバからのデータを受け取り、前記データを前記端末に送信する手段と、
を少なくとも備え、
前記転送サーバは、
前記他のゲートウェイサーバからのデータを受け取って振り分けを行い、前記データを、前記自ゲートウェイサーバに送信する手段と、
前記自ゲートウェイサーバからのデータを受け取り、前記データを前記他のゲートウェイサーバに転送する手段と、
を少なくとも備え、
前記自ゲートウェイサーバは、
前記転送サーバから前記自ゲートウェイサーバに転送されたデータを受け取る手段と、
サービスデータを、前記転送サーバに送信する手段と、
を少なくとも備えている、ことを特徴とするゲートウェイサーバ間通信システム。
【請求項１０】
前記他のゲートウェイサーバが、ローミング先のゲートウェイサーバである、ことを特徴とする請求項８又は９記載のゲートウェイサーバ間通信システム。
【請求項１１】
前記自ゲートウェイサーバが、
前記端末からのサービス要求に基づき、アプリケーションサーバに対してサービスデータを要求する手段と、
前記アプリケーションサーバからサービスデータを受け取り、前記他のゲートウェイサーバに送信する手段と、
を含む、ことを特徴とする請求項８記載のゲートウェイサーバ間通信システム。
【請求項１２】
前記自ゲートウェイサーバが、
前記端末からのサービス要求に基づき、アプリケーションサーバに対してサービスデータを要求する手段と、
前記アプリケーションサーバからサービスデータを受け取り、前記転送サーバに送信する手段と、
を含む、ことを特徴とする請求項９記載のゲートウェイサーバ間通信システム。
【請求項１３】
前記転送サーバには、前記転送サーバに接続するゲートウェイサーバのアドレスが登録されている、ことを特徴とする請求項９記載のゲートウェイサーバ間通信システム。
【発明の詳細な説明】
【０００１】
【発明の属する技術分野】
本発明は、移動体通信網とインターネットを相互接続するネットワーク技術に関し、特に、ゲートウェイサーバ間の通信方法とシステムに関する。
【０００２】
【従来の技術】
近時、移動体パケット通信の普及により、携帯端末等よりインターネット上のコンテンツデータを取得して種々の情報にアクセスできるようになってきている。移動体通信網とインターネットとを接続するゲートウェイサーバ（「ＧＷサーバ」と略記する）では、移動端末とサーバ間や２つのサーバ間などのデータ通信が円滑に行われることが重要な要素の一つとなっている。
【０００３】
通常、端末ユーザは、端末を収容するＧＷサーバ（「自ＧＷサーバ」という）の使用できる範囲でオリジンサーバを利用しており、自網内だけで完結して各種サービス（例えば端末ユーザが登録しているキャリアが提供するサービス）を利用している。例えば図５に示すように、携帯電話機等の移動端末３０から自網内の自ＧＷサーバ１０を経由してアプリケーションサーバ２０でのサービスが提供される。そして、発信端末から受信端末へデータが送信される時には、自端末収容ＧＷサーバからアプリケーションサーバを利用している。
【０００４】
なお、ゲートウェイの刊行物について概説しておくと、携帯端末と通信接続するゲートウェイとして、携帯端末がインターネット上のコンテンツサーバに格納される各種コンテンツサービスのデータに対するアクセスを管理するゲートウェイが知られている（例えば特許文献１）。また受信フレームを相手先のネットワークインタフェース規格に合致したフレームに変換して転送し、複数の異なる種類のネットワークインタフェース間の通信であるマトリクス通信を実現するゲートウェイ装置も知られている（例えば特許文献２）。さらに、サーバにゲートウェイ機能を付加し、ＬＡＮ接続された複数の端末を、サーバを介して所望のホストコンピュータに接続するシステムであって、自己サーバに接続される端末がどのホストコンピュータに接続されるかを示すデータが設定される管理テーブルを有し、自己サーバに接続される端末に対してＬＡＮ経由でデータを転送し、他のサーバの場合、そのサーバを経由して端末との送受信を行うようにしたマルチホスト接続制御方式も知られている（例えば特許文献３）。また、ＩＰバックボーンとＩＰ交換機間のデータゲートウェイ、トランクゲートウェイ等を備え、第１のＰＳＴＮまたは第２のＰＳＴＮでかけられた呼がパケットバックボーンネットワークを通じ、ＩＰルータおよびプロトコル変換サーバを介して他方のＰＳＴＮにルーティングされるシステムも知られている（例えば特許文献４）。
【０００５】
【特許文献１】
特開２００１−１７５５４０号公報（第１０頁、第１図）
【特許文献２】
特開２００２−１４１９６５号公報（第４−５頁、第１図）
【特許文献３】
特開平４−１０８２５号公報（第２頁、第１図）
【特許文献４】
特表２００２−５３０９４１号公報（第１２頁、第１図）
【０００６】
【発明が解決しようとする課題】
しかしながら、図５を参照して説明した従来の手法では、もっぱら、自ＧＷサーバ１０の利用できる範囲でアプリケーションサーバ２０（あるいはコンテンツサーバ）を利用しており、自網内だけで完結し各種サービスを利用している。このため、移動端末３０がローミング先からデータ通信を行う場合に、自ＧＷサーバ１０のサービスを利用することができず、その結果、サービスが制限される。そして、自ＧＷサーバのサービス範囲外にある移動端末等、自ＧＷサーバによるサービスを直接利用できない場合に、データ通信の利用に障害が生じる。
【０００７】
したがって、本発明の主たる目的は、移動端末がローミング先からデータ通信を行う際にも、自ＧＷサーバを利用可能とする方法とシステムを提供することにある。
【０００８】
【課題を解決するための手段】
前記目的を達成する本発明は、端末からのサービス要求を受け取った一つのゲートウェイサーバが、前記端末が前記一つのゲートウェイサーバで収容する端末であるか否かを判別し、前記端末が前記一つのゲートウェイサーバで収容する端末でなければ、前記端末を収容するゲートウェイサーバ（「自ゲートウェイサーバ」という）に向け、前記端末からのデータの転送を行い、前記端末から転送されたデータを受け取った前記自ゲートウェイサーバが、サービスのデータを、前記一つのゲートウェイサーバを介して、前記端末へ送信するようにしたものである。
【０００９】
本発明の一つのアスペクトに係る方法は、（ａ１）端末が、前記端末を収容するゲートウェイサーバ（「自ゲートウェイサーバ」という）を認識する情報を少なくとも含むサービス要求を、他のゲートウェイサーバに送信するステップと、
（ａ２）前記他のゲートウェイサーバが、前記端末から受け取った前記情報に基づき、前記端末を収容するゲートウェイサーバを判別するステップと、
（ａ３）前記他のゲートウェイサーバが、前記判別結果に基づき、前記自ゲートウェイサーバに対して、前記端末から受け取った情報データを転送するステップと、
（ａ４）前記他のゲートウェイサーバが、前記端末からのサービス要求に対するサービスデータを前記他のゲートウェイサーバに送信するステップと、
（ａ５）前記自ゲートウェイサーバから送信されたデータを受け取った前記他のゲートウェイサーバが、前記データを前記端末に送信するステップと、
を含む、ことを特徴とする。
【００１０】
本発明においては、前記他のゲートウェイサーバが、ローミング先のゲートウェイサーバよりなる。
【００１１】
本発明の他のアスペクトに係るシステムは、端末と、前記端末を収容するゲートウェイサーバ（「自ゲートウェイサーバ」という）と、前記端末と通信接続する他のゲートウェイサーバと、を有するネットワークシステムにおけるゲートウェイサーバ間通信システムであって、前記端末は、前記自ゲートウェイサーバを認識する情報を少なくとも含むサービス要求を送信する手段、を少なくとも備えている。
前記他のゲートウェイサーバは、前記端末から前記他のゲートウェイサーバに送信された、前記自ゲートウェイサーバを認識する情報を受け取り、前記情報に基づき、前記端末を収容する自ゲートウェイサーバを判別し、前記自ゲートウェイサーバに対して、前記端末から受け取ったデータを転送する手段と、前記自ゲートウェイサーバからサービスデータを受け取り前記サービスデータを前記端末に送信する手段と、を少なくとも備えている。
前記自ゲートウェイサーバは、前記他のゲートウェイサーバからのデータを受け取る手段と、サービスデータを、前記他のゲートウェイサーバに送信する手段と、を少なくとも備えている。
【００１２】
かかる構成の本発明によれば、端末ユーザが、端末を収容するゲートウェイサーバのサービス範囲以外のエリアに移動した場合にも、端末ユーザは、他のゲートウェイサーバを経由して、端末を収容するゲートウェイサーバへ接続し、アプリケーションサーバサービスの利用を可能としている。
【００１３】
【発明の実施の形態】
以下、本発明の好適な実施の形態について説明する。図１は、本発明の好適な実施の形態を説明するための図であり、移動端末３０が、ローミング先からデータ通信を行う際に用いられるサービスの実施形態が示されている。図１を参照すると、移動体パケット通信網、及びインターネット接続機能を具備した携帯電話機あるいはＰＤＡ（パーソナルデジタルアシスタンツ）等よりなる端末（移動端末）３０と、該端末３０を収容する自ＧＷサーバ（Ａ）１０１と、端末３０と通信接続する最寄のＧＷサーバ（Ｂ）１０２とを有する。
【００１４】
端末３０は、ＧＷサーバ（Ｂ）１０２に、端末３０を収容する自ＧＷサーバ（Ａ）１０１を認識する情報を少なくとも含むサービス要求を送信し、ＧＷサーバ（Ｂ）１０２が、端末３０から受け取った前記情報に基づき、自ＧＷサーバ（Ａ）１０１を判別し、自ＧＷサーバ（Ａ）１０１宛てに、端末３０から受け取ったデータを転送する。自ＧＷサーバ（Ａ）１０１は、ＧＷサーバ（Ｂ）１０２から転送されたデータを受け取り、サービスデータをＧＷサーバ（Ｂ）１０２に送信する。ＧＷサーバ（Ｂ）１０２は、自ＧＷサーバ（Ａ）１０１からサービスデータを受け取り、端末３０に送信する。
【００１５】
例えば図５に示したような、端末３０とアプリケーションサーバ２０の間にＧＷサーバ１０を設けるというサービス形態と相違して、図１を参照すると、本発明の実施形態によれば、ローミング先で利用するＧＷサーバ（Ｂ）１０２から自ＧＷサーバ（Ａ）１０１への転送路４０を設けている。転送路４０は、有線あるいは無線伝送路のいずれであってもよい。
【００１６】
かかる構成により、端末３０は、ローミング先からでも、他ＧＷサーバ１０２を経由してアプリケーションサーバ２０１の利用が可能になる。
【００１７】
本実施形態においても、自網内のＧＷサーバのアプリケーションサーバによるサービス形態の場合、図５に示す形態とされる。通常時、端末３０から自ＧＷサーバ１０を経由してアプリケーションサーバ２０のサービスを行う。このサービスが、自ＧＷサーバ１０とアプリケーションサーバ２０から提供されるものであれば、ＧＷサーバ１０は、端末３０がＧＷサーバ１０の収容する端末であるか判別する必要はない。
【００１８】
一方、図１に示すように、端末３０が、自ＧＷサーバ１０１のサービス範囲以外にいた場合、端末３０は最寄りのＧＷサーバ（Ｂ）１０２と通信を行う。このとき、端末３０を収容するＧＷサーバは、ＧＷサーバ（Ａ）１０１であるため、ＧＷサーバ（Ｂ）１０２からＧＷサーバ（Ａ）１０１へデータの転送をする。
【００１９】
ＧＷサーバ（Ｂ）１０２からデータを受け取った自ＧＷサーバ（Ａ）１０１は、アプリケーションサーバ２０１へ必要があればアクセスし、アプリケーションサーバ２０１のサービスを利用する。
【００２０】
自ＧＷサーバ（Ａ）１０１は、アプリケーションサーバ２０１からサービスデータを取得した後、ＧＷサーバ（Ｂ）１０２へサービスデータを転送する。
【００２１】
サービスデータを受け取ったＧＷサーバ１０２は、そのまま、該サービスデータを端末３０へ送信する。
【００２２】
このとき、端末３０では、ローミング先からアプリケーションサービスを利用していることを認識して、動作モードを変える等の必要はなく、あたかも、自網内のＧＷサーバから直接アプリケーションサービスの提供を受けているのと同様に動作する。
【００２３】
図２は、図１に示した実施形態の動作シーケンスの一例を説明するための図である。図１及び図２を参照して、本実施形態の動作について説明する。なお、端末３０は自ＧＷサーバ（Ａ）１０１のサービスエリア以外（圏外）の場所にいるものとする。
【００２４】
端末３０は、最寄りのＧＷサーバ（Ｂ）１０２と通信を行いサービス要求を送信する。その際、端末３０が、ＧＷサーバ（Ｂ）１０２に対して、送信する必要がある情報データとして、少なくとも、
・端末３０を収容するＧＷサーバを認識するためのパラメータ、及び、
・端末３０で表示に使用する文字コード識別子、
を含む。上記情報に加え、要求するサービスに関する情報データが、端末３０から、最寄りのＧＷサーバ（Ｂ）１０２に送信される。
【００２５】
端末３０から、これらの情報を受け取ったＧＷサーバ（Ｂ）１０２は、端末３０を収容するゲートウェイサーバを判別する。すなわち、ＧＷサーバ（Ｂ）１０２は、端末３０より受け取った、端末を収容するＧＷサーバを認識するためのパラメータ情報（ＧＷサーバのコード情報）に基づき、該端末３０がＧＷサーバ（Ａ）１０１に収容されている端末であるかを判別する。この場合、ＧＷサーバ（Ｂ）１０２は、端末３０がＧＷサーバ（Ａ）１０１に収容されている端末であるものと認識する。
【００２６】
その後、ＧＷサーバ（Ｂ）１０２は、自ＧＷサーバ（Ａ）１０１へ端末３０からのデータ（要求するサービスに関する情報データ）を転送する。
【００２７】
自ＧＷサーバ（Ａ）１０１では、受信したデータを分析し、必要に応じて、アプリケーションサーバ２０１に対して、端末３０から要求されているサービスデータの要求を行う。
【００２８】
自ＧＷサーバ（Ａ）１０１は、アプリケーションサーバ２０１から、要求したサービスデータを受け取り、ＧＷサーバ（Ｂ）１０２へ、サービスデータを転送する。
【００２９】
自ＧＷサーバ（Ａ）１０１からサービスデータを受け取ったＧＷサーバ（Ｂ）１０２は、このデータを、そのまま、端末３０へ転送する。
【００３０】
次に、本発明の第２の実施形態について説明する。図３は、本発明の第２の実施形態の構成を示す図である。図１に示したサービス形態では、端末が自ＧＷサーバのサービスエリア以外にあるときにも、自ＧＷのサービスを享受できるようにしている。本実施形態では、自ＧＷサーバ（Ａ）１０１と最寄りのＧＷサーバ（Ｂ）１０２との間に、さらに、データ転送を専用に行うサーバ（「転送専用サーバ」という）５０を備えている。
【００３１】
図４は、本発明の第２の実施形態の動作シーケンスの一例を示す図である。図３及び図４を参照して、本発明の第２の実施形態について説明する。この場合も、端末３０は、自ＧＷサーバ（Ａ）１０１のサービスエリア以外の場所にいるものとする。
【００３２】
端末３０は、最寄りのＧＷサーバ（Ｂ）１０２へサービスの要求内容を含むデータを送信する。
【００３３】
ＧＷサーバ（Ｂ）１０２は、端末３０を収容するＧＷサーバを判別する。この場合、端末３０を収容するＧＷサーバは、自ＧＷサーバ（Ａ）１０１であると判別する。
【００３４】
ＧＷサーバ（Ｂ）１０２から、自ＧＷサーバ（Ａ）１０１へのデータの転送が必要となった時、ＧＷサーバ（Ｂ）１０２は、転送データを、転送専用サーバ５０へ転送する。
【００３５】
転送専用サーバ５０は、転送データの宛先情報等からデータ転送先を判別して、データ送信先の振り分けを行う。この場合、自ＧＷサーバ（Ａ）１０１へ転送する。
【００３６】
自ＧＷサーバ（Ａ）１０１は、アプリケーションサーバ２０１へ端末３０から要求されているサービスデータの取得を行う。
【００３７】
自ＧＷサーバ（Ａ）１０１は、サービスデータを取得した後、ＧＷサーバ（Ｂ）１０２へ、該サービスデータを返送するために、転送専用サーバ５０へデータを送信する。
【００３８】
転送専用サーバ５０は、データ送信先の振り分けを行い、ＧＷサーバ（Ｂ）１０２へデータを転送する。
【００３９】
ＧＷサーバ（Ｂ）１０２は、転送専用サーバ５０から受け取ったデータを、そのまま、端末３０へ送信する。
【００４０】
転送専用サーバ５０には、各ＧＷサーバのアドレスが登録されているものとする。新たにＧＷサーバを増設する場合には、転送専用サーバ５０に、当該サーバのアドレスが登録される。
【００４１】
なお、上記実施形態において、ゲートウェイサーバは、携帯電話機やＰＤＡ等の端末でアプリケーション実行環境と、アプリケーションサーバの標準仕様の相互変換機能を具備し、端末で実行されるアプリケーションから、アプリケーションサーバのコンポーネントに簡単にアクセス可能とするための公知の機能等を含んだものであってもよい。あるいは、アプリケーションサーバは、コンテンツデータを提供するコンテンツサーバであってもよいことは勿論である。
【００４２】
以上、本発明を上記実施形態に即して説明したが、本発明は上記実施形態に限定されるものでなく、特許請求の範囲の発明の範囲内で当業者であればなし得るであろう各種変形、修正を含むことは勿論である。
【００４３】
【発明の効果】
以上説明したように、本発明によれば、ＧＷサーバが自サーバで収容する端末でなければ、自ＧＷサーバへデータを転送し、自ＧＷサーバにてサービスを行い、自ＧＷサーバで行われるサービスのデータは、端末の最寄りのＧＷサーバへ転送され、ＧＷサーバから端末へデータを転送する、構成としたことにより、端末が自ＧＷサーバのサービスエリア以外にある場合にも、自ＧＷサーバより、必要とするサービスを受けることができる、という効果を奏する。
【図面の簡単な説明】
【図１】本発明の一実施の形態のシステム構成を示す図である。
【図２】本発明の一実施の形態のシーケンス動作を説明するための図である。
【図３】本発明の一実施の形態のシステム構成を示す図である。
【図４】本発明の一実施の形態のシーケンス動作を説明するための図である。
【図５】自網内で完結するＧＷサーバのシステム構成を示す図である。
【符号の説明】
１０、１０１、１０２  ＧＷサーバ
２０、２０１、２０２  アプリケーションサーバ
３０  端末
４０  転送路
５０  転送専用サーバ
【図１】
2004260727.tif 000003
【図２】
2004260727.tif 000004
【図３】
2004260727.tif 000005
【図４】
2004260727.tif 000006
【図５】
2004260727.tif 000007